(57)【特許請求の範囲】
【請求項１】
コマーシャルの放送を希望する１つのスポンサーが有する第１の情報処理装置、および、前記コマーシャルを放送する複数の放送局がそれぞれ有する第２の情報処理装置とネットワークを介して接続される情報処理装置において、
前記スポンサーが有する第１の情報処理装置から送信された、前記スポンサーのコマーシャルの放送条件として、変動範囲が設定された第１の放送条件と、自動取引を行うか否かを特定可能な第２の放送条件とを含む情報であって、予め決められたフォームの第１の情報の受信を制御する第１の受信制御手段と、
前記第１の受信制御手段により受信が制御された前記第１の情報の、複数の前記放送局が有する前記第２の情報処理装置のそれぞれへの送信を制御する第１の送信制御手段と、
前記第１の送信制御手段により送信が制御された前記第１の情報を確認した複数の前記放送局のうち、前記第１の情報に含まれる前記第１の放送条件に設定された前記変動範囲内での放送希望条件を提示する応答をした前記放送局が有する前記第２の情報処理装置から送信された、前記放送局により提示された前記放送希望条件を含む情報であって、予め決められたフォームの第２の情報の受信を制御する第２の受信制御手段と、
前記第１の受信制御手段により受信が制御された前記第１の情報に含まれる前記第２の放送条件に基づいて自動取引を行わないと判定した場合、前記第１の情報と、前記第２の受信制御手段により受信が制御された前記第２の情報とに基づいて、前記コマーシャルに関する取り引きを補助するための情報であって、予め決められたフォームの第３の情報を生成し、前記第３の情報の、前記スポンサーが有する前記第１の情報処理装置への送信を制御する第２の送信制御手段と、
前記第１の受信制御手段により受信が制御された前記第１の情報に含まれる前記第２の放送条件に基づいて自動取引を行うと判定した場合、前記第１の情報に含まれる前記第１の放送条件をキーとして、前記第２の情報を送信した前記放送局の中で、最もよい前記放送希望条件を提示した放送局を選択し、選択した前記放送局の前記放送希望条件を含む情報であって、予め決められたフォームの第４の情報を生成し、前記第４の情報の、前記スポンサーが有する前記第１の情報処理装置への送信を制御する第３の送信制御手段と
を備える情報処理装置。
【請求項２】
コマーシャルの放送を希望する１つのスポンサーが有する第１の情報処理装置、および、前記コマーシャルを放送する複数の放送局がそれぞれ有する第２の情報処理装置とネットワークを介して接続される、
第１の受信制御手段と、
第１の送信制御手段と、
第２の受信制御手段と、
第２の送信制御手段と、
第３の送信制御手段と
を備える情報処理装置の情報処理方法において、
前記第１の受信制御手段は、前記スポンサーが有する第１の情報処理装置から送信された、前記スポンサーのコマーシャルの放送条件として、変動範囲が設定された第１の放送条件と、自動取引を行うか否かを特定可能な第２の放送条件とを含む情報であって、予め決められたフォームの第１の情報の受信を制御し、
前記第１の送信制御手段は、前記第１の受信制御手段により受信が制御された前記第１の情報の、複数の前記放送局が有する前記第２の情報処理装置のそれぞれへの送信を制御し、
前記第２の受信制御手段は、前記第１の送信制御手段により送信が制御された前記第１の情報を確認した複数の放送局のうち、前記第１の情報に含まれる前記第１の放送条件に設定された前記変動範囲内での放送希望条件を提示する応答をした前記放送局が有する前記第２の情報処理装置から送信された、前記放送局により提示された前記放送希望条件を含む情報であって、予め決められたフォームの第２の情報の受信を制御し、
前記第２の送信制御手段は、前記第１の受信制御手段により受信が制御された前記第１の情報に含まれる前記第２の放送条件に基づいて自動取引を行わないと判定した場合、前記第１の情報と、前記第２の受信制御手段により受信が制御された前記第２の情報とに基づいて、前記コマーシャルに関する取り引きを補助するための情報であって、予め決められたフォームの第３の情報を生成し、前記第３の情報の、前記スポンサーが有する前記第１の情報処理装置への送信を制御し、
前記第３の送信制御手段は、前記第１の受信制御手段により受信が制御された前記第１の情報に含まれる前記第２の放送条件に基づいて自動取引を行うと判定した場合、前記第１の情報に含まれる前記第１の放送条件をキーとして、前記第２の情報を送信した前記放送局の中で、最もよい前記放送希望条件を提示した放送局を選択し、選択した前記放送局の前記放送希望条件を含む情報であって、予め決められたフォームの第４の情報を生成し、前記第４の情報の、前記スポンサーが有する前記第１の情報処理装置への送信を制御する
情報処理方法。
【請求項３】
コマーシャルの放送を希望する１つのスポンサーが有する第１の情報処理装置、および、前記コマーシャルを放送する複数の放送局がそれぞれ有する第２の情報処理装置とネットワークを介して接続される、
第１の受信制御手段と、
第１の送信制御手段と、
第２の受信制御手段と、
第２の送信制御手段と、
第３の送信制御手段と
を備える情報処理装置用のプログラムであって、
前記第１の受信制御手段は、前記スポンサーが有する第１の情報処理装置から送信された、前記スポンサーのコマーシャルの放送条件として、変動範囲が設定された第１の放送条件と、自動取引を行うか否かを特定可能な第２の放送条件とを含む情報であって、予め決められたフォームの第１の情報の受信を制御し、
前記第１の送信制御手段は、前記第１の受信制御手段により受信が制御された前記第１の情報の、複数の前記放送局が有する前記第２の情報処理装置のそれぞれへの送信を制御し、
前記第２の受信制御手段は、前記第１の送信制御手段により送信が制御された前記第１の情報を確認した複数の放送局のうち、前記第１の情報に含まれる前記第１の放送条件に設定された前記変動範囲内での放送希望条件を提示する応答をした前記放送局が有する前記第２の情報処理装置から送信された、前記放送局により提示された前記放送希望条件を含む情報であって、予め決められたフォームの第２の情報の受信を制御し、
前記第２の送信制御手段は、前記第１の受信制御手段により受信が制御された前記第１の情報に含まれる前記第２の放送条件に基づいて自動取引を行わないと判定した場合、前記第１の情報と、前記第２の受信制御手段により受信が制御された前記第２の情報とに基づいて、前記コマーシャルに関する取り引きを補助するための情報であって、予め決められたフォームの第３の情報を生成し、前記第３の情報の、前記スポンサーが有する前記第１の情報処理装置への送信を制御し、
前記第３の送信制御手段は、前記第１の受信制御手段により受信が制御された前記第１の情報に含まれる前記第２の放送条件に基づいて自動取引を行うと判定した場合、前記第１の情報に含まれる前記第１の放送条件をキーとして、前記第２の情報を送信した前記放送局の中で、最もよい前記放送希望条件を提示した放送局を選択し、選択した前記放送局の前記放送希望条件を含む情報であって、予め決められたフォームの第４の情報を生成し、前記第４の情報の、前記スポンサーが有する前記第１の情報処理装置への送信を制御する
コンピュータが読み取り可能なプログラムが記録されている記録媒体。
【発明の詳細な説明】
【０００１】
【発明の属する技術分野】
本発明は、情報処理装置および情報処理方法、並びに記録媒体に関し、特に、インターネットなどの広域ネットワークを介して、コマーシャルを放映する放送局とそのコマーシャルの放送を依頼するスポンサーとの間の、コマーシャル放送に関する取り引きを迅速に成立させるための仲介を行うことができる、情報処理装置および情報処理方法、並びに記録媒体に関する。
【０００２】
【従来の技術】
現在のテレビジョン放送は、放送局が制作する番組のプログラムと、その番組のプログラムの前後あるいは途中に挿入される数秒単位のコマーシャル（ＣＭ）から構成されている。一般視聴者は、テレビジョン受信機および受信アンテナさえ購入すれば、地上波テレビジョン放送などにおいて、無料でテレビジョン放送を視聴することができる。放送局は、番組プログラムの制作およびその番組プログラムの送信のための設備投資等の各種経費を、コマーシャルの放送料金によって得ることができるため、放送局が視聴者に対して受信料を徴収しないにもかかわらず、その経営が成り立つ。このようなコマーシャルの放送を依頼する広告主は、一般にスポンサーもしくはクライアントと称される。
【０００３】
すなわち、放送局は、番組プログラムを放送するために、その番組プログラム中に挿入されるコマーシャルを提供するスポンサーを獲得しなければならない。放送局にとって、スポンサーの獲得は、放送局経営のための非常に重要な業務である。放送局は、有力なスポンサーの獲得のため、多数の営業担当者を抱えており、この営業担当者の人員を増加させることによって、営業力が強化されることは勿論である。
【０００４】
また、放送局とスポンサーを仲介する業者として、広告代理店が存在する。広告代理店は、スポンサーからコマーシャルの制作の依頼を受けると、スポンサーが提供する商品、もしくはサービスなどに関するコマーシャルフィルムを制作するか、もしくはコマーシャル作成会社に対して、コマーシャルの制作依頼を行う。そして、広告代理店の営業担当者は、スポンサーからの依頼を受けて、製作されたコマーシャルを、スポンサーが希望する時間帯などの条件で放送してくれる放送局を探す。また、広告代理店の営業担当者は、放送局からの依頼を受けて、放送局が放送する番組プログラムのスポンサーを探すために、その番組プログラムの概要を各スポンサーに紹介する営業活動を行う。
【０００５】
以上説明したような、営業担当者の営業活動の結果、スポンサーが希望する放送時間帯、放送料金等の条件と、放送局が希望する放送時間帯、放送料金等の条件が一致した場合、スポンサーと放送局の間で、コマーシャルに関する契約が行われる。
【０００６】
【発明が解決しようとする課題】
しかしながら、放送局の営業担当者、もしくは広告代理店の営業担当者の人件費は非常に高価である。特に、地方局などの小さな放送局においては、広告の獲得のための予算は限られているため、このような営業活動に人員を割くことができない状況にある。このような状況から、放送局側には、スポンサーの獲得のためにかかる諸費用をできる限り削減したいという要求がある。
【０００７】
また、スポンサー側では、コマーシャルを放送する放送局を決定する場合、放送料金のみならず、放送時間、放送回数、放送地域、更にはコマーシャルが放送されるときに放送されている番組の内容が、放送されるコマーシャルや、スポンサーのイメージにふさわしいかなど、非常に多くの要素を考慮する必要がある。同様に、放送局から提示される条件にも、放送時間帯や金額だけではなく、放送日、放送回数、放送地域などの細かい条件が存在し、例えば、複数の放送局から条件の提示があった場合に、最も適した放送局を選択するのは容易なことではなかった。更に、現在のテレビジョン放送が、予定されている次世代のデジタルテレビジョン放送に移行すると、更に多くの条件がスポンサーもしくは放送局から提示される可能性がある。
【０００８】
すなわち、放送局、およびスポンサーの双方が、満足を得られるようなコマーシャル放送契約を行うためには、例えば、広告代理店の営業担当者が、複数のスポンサー、あるいは複数の放送局を何度も訪問し、それらの条件の折衝にあたらなければならず、営業担当者の工数、および労力に相当するだけの多大な費用、および時間が費やされていた。その結果、スポンサーおよび放送局は、広告代理店に対して多大な費用を支払わなければならなかった。換言すれば、放送局とスポンサーとのコマーシャルの放送に関する取り引きには、多額の中間コストが発生していた。
【０００９】
更に、スポンサーが広告代理店にコマーシャルの放送を依頼してから、実際にコマーシャルが放送されるまでには、多くの日数が必要とされる。スポンサーにＣＭの放送をできる限り早く開始したいという要求がある場合、例えば、スポンサーが、「明日、セールスを行う」といった即時性を必要とするコマーシャルの放送を依頼してきた場合、広告代理店が、速やかに、さまざまな条件の合致する放送局を探し、取り引きを成立させることは困難であった。
【００１０】
本発明はこのような状況に鑑みてなされたものであり、スポンサーおよび放送局からネットワークを介してＣＭ取り引きのための条件の入力を受け、スポンサーと放送局との間の、ＣＭ放送に関する取り引きを、インターネットなどの広域ネットワークを介して実現させるものである。
【００１１】
【課題を解決するための手段】
本発明の一側面の情報処理装置は、スポンサーが有する第１の情報処理装置から送信された、スポンサーのコマーシャルの放送条件として、変動範囲が設定された第１の放送条件と、自動取引を行うか否かを特定可能な第２の放送条件とを含む情報であって、予め決められたフォームの第１の情報の受信を制御する第１の受信制御手段と、第１の受信制御手段により受信が制御された第１の情報の、複数の放送局が有する第２の情報処理装置のそれぞれへの送信を制御する第１の送信制御手段と、第１の送信制御手段により送信が制御された第１の情報を確認した複数の放送局のうち、第１の情報に含まれる第１の放送条件に設定された変動範囲内での放送希望条件を提示する応答をした放送局が有する第２の情報処理装置から送信された、放送局により提示された放送希望条件を含む情報であって、予め決められたフォームの第２の情報の受信を制御する第２の受信制御手段と、第１の受信制御手段により受信が制御された第１の情報に含まれる第２の放送条件に基づいて自動取引を行わないと判定した場合、第１の情報と、第２の受信制御手段により受信が制御された第２の情報とに基づいて、コマーシャルに関する取り引きを補助するための情報であって、予め決められたフォームの第３の情報を生成し、第３の情報の、スポンサーが有する第１の情報処理装置への送信を制御する第２の送信制御手段と、第１の受信制御手段により受信が制御された第１の情報に含まれる第２の放送条件に基づいて自動取引を行うと判定した場合、第１の情報に含まれる第１の放送条件をキーとして、第２の情報を送信した放送局の中で、最もよい放送希望条件を提示した放送局を選択し、選択した放送局の放送希望条件を含む情報であって、予め決められたフォームの第４の情報を生成し、第４の情報の、スポンサーが有する第１の情報処理装置への送信を制御する第３の送信制御手段とを備える。
【００１２】
本発明の一側面の情報処理方法は、第１の受信制御手段と、第１の送信制御手段と、第２の受信制御手段と、第２の送信制御手段と、第３の送信制御手段とを備える情報処理装置の第１の受信制御手段が、スポンサーが有する第１の情報処理装置から送信された、スポンサーのコマーシャルの放送条件として、変動範囲が設定された第１の放送条件と、自動取引を行うか否かを特定可能な第２の放送条件とを含む情報であって、予め決められたフォームの第１の情報の受信を制御し、第１の送信制御手段が、第１の受信制御手段により受信が制御された第１の情報の、複数の放送局が有する第２の情報処理装置のそれぞれへの送信を制御し、第２の受信制御手段が、第１の送信制御手段により送信が制御された第１の情報を確認した複数の放送局のうち、第１の情報に含まれる第１の放送条件に設定された変動範囲内での放送希望条件を提示する応答をした放送局が有する第２の情報処理装置から送信された、放送局により提示された放送希望条件を含む情報であって、予め決められたフォームの第２の情報の受信を制御し、第２の送信制御手段は、第１の受信制御手段により受信が制御された第１の情報に含まれる第２の放送条件に基づいて自動取引を行わないと判定した場合、第１の情報と、第２の受信制御ステップの処理により受信が制御された第２の情報とに基づいて、コマーシャルに関する取り引きを補助するための情報であって、予め決められたフォームの第３の情報を生成し、第３の情報の、スポンサーが有する第１の情報処理装置への送信を制御し、第３の送信制御手段は、第１の受信制御手段により受信が制御された第１の情報に含まれる第２の放送条件に基づいて自動取引を行うと判定した場合、第１の情報に含まれる第１の放送条件をキーとして、第２の情報を送信した放送局の中で、最もよい放送希望条件を提示した放送局を選択し、選択した放送局の放送希望条件を含む情報であって、予め決められたフォームの第４の情報を生成し、第４の情報の、スポンサーが有する第１の情報処理装置への送信を制御する。
【００１３】
本発明の一側面の記録媒体に記録されているプログラムは、第１の受信制御手段と、第１の送信制御手段と、第２の受信制御手段と、第２の送信制御手段と、第３の送信制御手段とを備える情報処理装置の第１の受信制御手段が、スポンサーが有する第１の情報処理装置から送信された、スポンサーのコマーシャルの放送条件として、変動範囲が設定された第１の放送条件と、自動取引を行うか否かを特定可能な第２の放送条件とを含む情報であって、予め決められたフォームの第１の情報の受信を制御し、第１の送信制御手段が、第１の受信制御手段により受信が制御された第１の情報の、複数の放送局が有する第２の情報処理装置のそれぞれへの送信を制御し、第２の受信制御手段が、第１の送信制御手段により送信が制御された第１の情報を確認した複数の放送局のうち、第１の情報に含まれる第１の放送条件に設定された変動範囲内での放送希望条件を提示する応答をした放送局が有する第２の情報処理装置から送信された、放送局により提示された放送希望条件を含む情報であって、予め決められたフォームの第２の情報の受信を制御し、第２の送信制御手段は、第１の受信制御手段により受信が制御された第１の情報に含まれる第２の放送条件に基づいて自動取引を行わないと判定した場合、第１の情報と、第２の受信制御ステップの処理により受信が制御された第２の情報とに基づいて、コマーシャルに関する取り引きを補助するための情報であって、予め決められたフォームの第３の情報を生成し、第３の情報の、スポンサーが有する第１の情報処理装置への送信を制御し、第３の送信制御手段は、第１の受信制御手段により受信が制御された第１の情報に含まれる第２の放送条件に基づいて自動取引を行うと判定した場合、第１の情報に含まれる第１の放送条件をキーとして、第２の情報を送信した放送局の中で、最もよい放送希望条件を提示した放送局を選択し、選択した放送局の放送希望条件を含む情報であって、予め決められたフォームの第４の情報を生成し、第４の情報の、スポンサーが有する第１の情報処理装置への送信を制御する。
【００２０】
本発明の一側面の情報処理装置、情報処理方法、および記録媒体に記録されているプログラムにおいては、スポンサーが有する第１の情報処理装置から送信された、スポンサーのコマーシャルの放送条件として、変動範囲が設定された第１の放送条件と、自動取引を行うか否かを特定可能な第２の放送条件とを含む情報であって、予め決められたフォームの第１の情報の受信が制御され、第１の情報の、複数の放送局が有する第２の情報処理装置のそれぞれへの送信が制御され、第１の情報を確認した複数の放送局のうち、第１の情報に含まれる第１の放送条件に設定された変動範囲内での放送希望条件を提示する応答をした放送局が有する第２の情報処理装置から送信された、放送局により提示された放送希望条件を含む情報であって、予め決められたフォームの第２の情報の受信が制御され、第１の情報に含まれる第２の放送条件に基づいて自動取引を行わないと判定した場合、第１の情報と、第２の情報とに基づいて、コマーシャルに関する取り引きを補助するための情報であって、予め決められたフォームの第３の情報を生成し、第３の情報の、スポンサーが有する第１の情報処理装置への送信が制御され、第１の情報に含まれる第２の放送条件に基づいて自動取引を行うと判定された場合、第１の情報に含まれる第１の放送条件をキーとして、第２の情報を送信した放送局の中で、最もよい放送希望条件を提示した放送局が選択され、選択された放送局の放送希望条件を含む情報であって、予め決められたフォームの第４の情報が生成され、第４の情報の、スポンサーが有する第１の情報処理装置への送信が制御される。
【００２３】
【発明の実施の形態】
以下、図を参照して、本発明の実施の形態について説明する。
【００２４】
図１に、本発明を適応したＣＭ取り引きシステムにおける、スポンサーＡ乃至Ｃが有するパーソナルコンピュータ、仲介業者が有する、パーソナルコンピュータ、コンピュータサーバ、およびＡＶサーバ、並びに放送局Ａ乃至Ｄが有する、パーソナルコンピュータ、およびＡＶサーバのネットワーク接続の構成の例を示す。
【００２５】
スポンサーＡ乃至Ｃのパーソナルコンピュータ１乃至３、仲介業者のハブ４、放送局Ａのハブ５、CATV局Ｂのハブ６、放送局Ｃのハブ７、および放送局Ｄのハブ８は、例えば、インターネットなどの広域ネットワーク２０を介して相互に接続されている。
【００２６】
ハブ４は、仲介業者のパーソナルコンピュータ９、コンピュータサーバ１０、およびＡＶサーバ１１にも接続されており、相互に情報を授受し、広域ネットワーク２０を介して、例えば、パーソナルコンピュータ１乃至３、もしくはハブ５乃至８を介してパーソナルコンピュータ１２乃至１５とそれぞれ情報の授受ができるようになされている。また、ハブ５は、放送局Ａのパーソナルコンピュータ１２とＡＶサーバ１６にも接続されており、相互に情報を授受し、広域ネットワーク２０を介して、例えば、パーソナルコンピュータ１乃至３、ハブ４を介してパーソナルコンピュータ９、もしくはハブ５乃至８を介してパーソナルコンピュータ１３乃至１５とそれぞれ情報の授受ができるようになされている。ハブ６乃至ハブ８も、ハブ５と同様に、局内のパーソナルコンピュータとＡＶサーバとも接続されている。
【００２７】
図２は、仲介業者のパーソナルコンピュータ９の構成を示すブロック図である。なお、パーソナルコンピュータ1乃至３およびパーソナルコンピュータ１２乃至１５の構成は、パーソナルコンピュータ９と同様の構成を有するものなので、その説明は省略する。
【００２８】
ＣＰＵ（central processing unit）２１は、各種アプリケーションプログラムや、基本的なＯＳ（operating system）を実際に実行する。ＲＯＭ（read-only memory）２２は、一般的には、ＣＰＵ２１が使用するプログラムや演算用のパラメータのうちの基本的に固定のデータを格納する。ＲＡＭ（random-access memory）２３は、ＣＰＵ２１の実行において使用するプログラムや、その実行において適宜変化するパラメータを格納する。ＣＰＵ２１、ＲＯＭ２２、およびＲＡＭ２３は、内部バス２４により相互に接続されている。
【００２９】
内部バス２４は、入出力インターフェース２５とも接続されている。入力部２６は、例えば、キーボードやマウスからなり、ＣＰＵ２１に各種の指令を入力するとき、ユーザにより操作される。出力部２７は、例えば、ＣＲＴやスピーカ等からなり、各種情報をテキスト、イメージ、もしくは音声で表示する。ＨＤＤ（hard disk drive）２８は、ハードディスクを駆動し、それらにＣＰＵ２１によって実行するプログラムや情報を記録または再生させる。ドライブ２９には、必要に応じて磁気ディスク３１、光ディスク３２、光磁気ディスク３３、および半導体メモリ３４が装着され、データの授受を行う。ネットワークインターフェース３０は、例えば、電話回線を介して、広域ネットワーク２０に接続されている。
【００３０】
これらの入力部２６乃至ネットワークインターフェース３０は、入出力インターフェース２５および内部バス２４を介してＣＰＵ２１に接続されている。
【００３１】
図３は、コンピュータサーバ１０の構成を示す機能ブロック図である。
【００３２】
ネットワークインターフェース４１は、ハブ４を介して入力された制御信号を、システム管理ソフトウェア４２に供給したり、システム管理ソフトウェア４２の処理により生成された信号を、ハブ４を介して、パーソナルコンピュータ９やＡＶサーバ１１に供給する。
【００３３】
システム管理ソフトウェア４２は、ネットワークインターフェース４１を介して入力される制御信号に従って、例えば、入力されたＣＭ素材に関する情報をデータベース４５に登録したり、課金ソフトウェア４３を起動させ、ＣＭの放送料金を示す情報を基にＣＭ放送料金を算出させたり、ウェブコンテンツフォルダ４６から、所定のウェブページを検索して、ネットワークインターフェース４１、ハブ４、および広域ネットワーク２０を介して、パーソナルコンピュータ１乃至３、もしくは、パーソナルコンピュータ１２乃至１５に送信する。
【００３４】
課金ソフトウェア４３は、システム管理ソフトウェア４２の処理により生成される制御信号に従って、スポンサーＡ乃至Ｃに請求するＣＭ放送料金を算出する。
【００３５】
ＡＶサーバコントローラ４４は、ネットワークインターフェース４１を介して入力される制御信号に従って、図４を用いて後述するＡＶサーバ１１のディスクアレイ５６にＣＭ素材を保存させるための制御信号を生成して、ＡＶサーバ１１に出力したり、ＡＶサーバ１１のディスクアレイ５６に保存されているＣＭ素材のうち、必要なＣＭ素材を検索させ、出力させるための制御信号を生成して、ＡＶサーバ１１に出力する。
【００３６】
データベース４５は、システム管理ソフトウェア４２の処理により生成された制御信号に従って、条件を抽出したり、条件を検索したり、新たな条件を登録したり、登録されている条件を比較するために、ＡＶサーバ１１のディスクアレイ５６に保存されているＣＭ素材に関する情報を保存する。
【００３７】
データベース４５に保存されるＣＭ素材に関する情報には、例えば、ＡＶサーバ１１のディスクアレイ５６に登録されているＣＭ素材を検索するためのＣＭ素材ＩＤ、その価格を上限として、ＣＭ放送権の入札や競売を行うための希望上限価格、入札や競売といった、取り引きの方式を指定するための取り引き形態、取り引きの期限、例えば、入札の場合、入札締め切り時刻を示し、競売の場合、次の提示が出るまでの所定の最大待ち時間を示す取り引き期限、例えば、最もよい条件を提示した放送局を自動的に選択して取り引きを成立させる自動取り引きか、条件を提示した放送局の希望条件一覧表を参照してから取り引きを決定するかといった、取り引き確認方法を示す取り引き確認、ＣＭを放送する希望時間帯を示す放送希望時間帯、ＣＭを放送する希望日、および、その日にＣＭを何回放送するかを示す、放送日・放送回数、例えば、関東、全国、厚木市、アジア、神奈川県といった、ＣＭの放送を希望する地域を示す放送希望地域、ＣＭを放送する番組の内容、もしくはキーワードを指定するための、番組の内容・キーワードなどがある。
【００３８】
ウェブコンテンツフォルダ４６は、システム管理ソフトウェア４２の処理により生成された制御信号に従って、生成されたウェブコンテンツを保存したり、保存しているウェブコンテンツのうち、所定のウェブコンテンツを出力する。
【００３９】
図４は、ＡＶサーバ１１の構成を表すブロック図である。なお、放送局Ａ乃至ＤのＡＶサーバ１６乃至１９の構成は、ディスクアレイ５６のハードディスク６５乃至６９に記録されている情報が、ＣＭ素材のみではなく、放送する番組素材を含むことを除けば、ＡＶサーバ１１と同様の構成であるため、その説明は省略する。
【００４０】
エンコーダ５３は、ＶＴＲ（Video Tape Recorder）５１に装着されたビデオテープ５２に記録されているＣＭ素材の入力を受け、Ａ／Ｄ（Analog/Digital）変換部６２でデジタルデータに変換させ、MPEG-2（Moving Picture Coding Experts Group／Moving Picture Experts Group-2）エンコーダ６１でエンコードさせて出力する。
【００４１】
ＣＰＵ５４は、エンコーダ５３でデジタル化され、エンコードされたＣＭ素材、もしくは、ネットワークインターフェース５７から入力されるＣＭ素材を、内部バス５５を介して、ディスクアレイ５６に出力する。また、ＣＰＵ５４は、ネットワークインターフェース５７および内部バス５５を介して入力される制御信号に従って、ディスクアレイ５６のハードディスク６５乃至６９のいずれかに記録されているＣＭ素材を検索し、内部バス５５およびネットワークインターフェース５７を介して出力したり、内部バス５５を介してデコーダ５８に出力する。
【００４２】
デコーダ５８は、内部バス５５を介して入力されたＣＭ素材を、MPEG-2デコーダ６３でデコードさせ、Ｄ／Ａ（digital/analog）変換部６４で、アナログデータに変換させ、出力する。
【００４３】
ディスクアレイ５６は、ハードディスク６５乃至６９から構成され、入力されたＣＭ素材を、ハードディスク６５乃至６９に保存し、ＣＰＵ５４から、内部バス５５を介して入力される制御信号に従って、所定のＣＭ素材を検索して出力する。
【００４４】
ネットワークインターフェース５７は、ハブ４と接続され、パーソナルコンピュータ９、コンピュータサーバ１０などと情報の授受を行う。ＲＡＭ５９は、ＣＰＵ５４において使用するプログラムや、その実行において適宜変化するパラメータを格納する。
【００４５】
次に、図５を用いて、放送局Ａの放送システムについて説明する。
【００４６】
ＡＶサーバ１６は、放送される番組素材を保存する。また、仲介業者のＡＶサーバ１１から、ハブ４、広域ネットワーク２０およびハブ５を介して伝送されるＣＭ素材を保存する。また、ＡＶサーバ１６は、パーソナルコンピュータ８１から、ローカルネットワーク８６を介して入力される制御信号に従って、保存されている番組素材、もしくはＣＭ素材を、スイッチャ８３に供給する。
【００４７】
パーソナルコンピュータ１２は、ハブ５を介して入力されたＣＭ素材が、ＡＶサーバ１６に入力され、保存されたことを示す信号を生成し、ローカルネットワーク８６を介してパーソナルコンピュータ８１に出力する。
【００４８】
パーソナルコンピュータ８１は、ローカルネットワーク８６により接続されているＡＶサーバ１６、番組送出装置８２、およびスイッチャ８３の動作を制御するための制御信号を生成し、ＡＶサーバ１６、番組送出装置８２、およびスイッチャ８３に、ローカルネットワーク８６を介して出力する。
【００４９】
番組送出装置８２は、例えば、ＶＴＲなどであり、パーソナルコンピュータ８１から入力される制御信号に従って、所定の番組素材をスイッチャ８３に供給する。スイッチャ８３は、パーソナルコンピュータ８１から入力される制御信号に従って、供給された番組素材もしくはＣＭ素材を適宜切り替え、オンエアサーバ８４を介して、有線で放送させたり、アンテナ８５を介して無線で放送させる。
【００５０】
次に、図６のフローチャートを参照して、仲介業者が有するパーソナルコンピュータ９、コンピュータサーバ１０、およびＡＶサーバ１１が実行するＣＭ登録処理について説明する。
【００５１】
ステップＳ１において、コンピュータサーバ１０のシステム管理ソフトウェア４２は、広域ネットワーク２０、ハブ４、ネットワークインターフェース４１を介して、スポンサーＡ乃至Ｃのいずれかが有するパーソナルコンピュータ１乃至３から、ＣＭ素材、および図７のＣＭ放送送出依頼入力フォームに従って入力された、金額等の条件を示す信号を受信する。すなわち、仲介業者のコンピュータサーバ１０は、図７に示す、ＣＭ放送送出依頼入力フォームを表示させるためのウェブコンテンツを、ウェブコンテンツフォルダ４６に予め保存しており、システム管理ソフトウェア４２は、スポンサーＡ乃至Ｃがコンピュータサーバ１０にアクセスすることにより、任意にＣＭ放送送出依頼入力フォームを参照できるよう、ＣＭ放送送出依頼入力フォームを広域ネットワーク２０に公開している。
【００５２】
コンピュータサーバ１０のシステム管理ソフトウェア４２は、入力された放送希望条件を示す信号を、ハブ４を介してパーソナルコンピュータ９に出力するとともに、ＣＭ素材をＡＶサーバ１１のディスクアレイ５６に保存させるための制御信号を生成してＡＶサーバコントローラ４４に出力し、ＣＭ放送に関する条件をデータベース４５に保存させる。ＡＶサーバコントローラ４４は、入力された制御信号に従って、ＡＶサーバ１１にＣＭ素材をそのディスクアレイ５６に保存させる。ここでは、スポンサーＡから、ＣＭ放送送出依頼を受けたものとして説明する。
【００５３】
図７のＣＭ放送送出依頼入力フォームには、仲介業者のＡＶサーバ１１に予め登録されているＣＭ素材のＩＤを入力するためのテキストボックス９１、入札形式と競売形式から取り引き形態を選択するためのチェックボックス９２および９３、ＣＭ放送料金の上限を記入するためのテキストボックス９４、希望放送時期（希望放送日）を記入するためのテキストボックス９５、希望放送時間を記入するためのテキストボックス９６、地域選択メニューが表示されているページに移動するためのボタン９７、例えば、自動取り引きを行うか否かの選択等の、その他の条件を設定するための設定ページに移動するためのボタン９８、そして、条件の入力が完了した場合、入力された条件を仲介業者のパーソナルコンピュータ９に送信させるためのボタン９９が用意されている。
【００５４】
例えば、取り引き形態が入札の場合、放送局Ａ乃至Ｄは、ＣＭ放送のための金額等の条件を期限までに提出する。スポンサーＡは、その中で最もよい条件を提示した放送局とＣＭ放送の契約を行う。そして、取り引き形態が競売の場合、放送局Ａ乃至Ｄは、順次互いの提示する条件を参照しながら、自分自身のＣＭ放送条件を提示する。そして、放送局Ａ乃至Ｄから最後の条件の提示があった時刻から所定の時間が経過しても、放送局Ａ乃至Ｄから他の条件の提示が行われなかった場合、競売が終了し、スポンサーＡは、その中で最もよい条件を提示した放送局とＣＭ放送の契約を行う。
【００５５】
ステップＳ２において、ＣＰＵ２１は、ステップＳ１において入力された、スポンサーＡの条件を基に、例えば、図８に示すＣＭ送出取り引きページを作成し、作成したページに対応するデータを、内部バス２４、入出力インターフェース２５、ネットワークインターフェース３０、およびハブ４を介して、コンピュータサーバ１０に供給する。コンピュータサーバ１０のシステム管理ソフトウェア４２は、ネットワークインターフェース４１を介して入力されたＣＭ送出取り引きページに対応するデータを、ウェブコンテンツフォルダ４６に保存するとともに、放送局Ａ乃至Ｄがコンピュータサーバ１０にアクセスすることにより、任意にＣＭ送出取り引きページを参照できるよう、ＣＭ送出取り引きページに対応するデータを、広域ネットワーク２０に公開する。そして、ネットワークインターフェース３０は、後述する図１１のステップＳ４２の処理により、放送局Ａ乃至Ｄから送信されるＣＭの放送条件に対応する信号を、広域ネットワーク２０およびハブ４を介して受信する。ＣＰＵ２１は、入力されたＣＭの放送条件に対応する信号をＨＤＤ２８に保存させる。
【００５６】
図８のＣＭ送出取り引きページには、ステップＳ１において、スポンサーＡから入力されたスポンサーのＣＭ放送に対する条件が表示され、放送局Ａ乃至Ｄのパーソナルコンピュータ１２乃至１５のユーザが、対応するＣＭを放送する時間帯を入力するためのテキストボックス１０１、ＣＭが放送される番組名を入力するためのテキストボックス１０２、ＣＭの放送料金の希望価格を入力するためのテキストボックス１０３、テキストボックス１０１乃至１０３に入力した内容を、仲介業者のパーソナルコンピュータ９に送信させるための送信ボタン１０４、および再設定時にテキストボックス１０１乃至１０３に入力した内容をリセットさせるためのリセットボタン１０５が用意されている。
【００５７】
ステップＳ３において、ＣＰＵ２１は、ステップＳ１において入力された条件から、取り引き形態は、入札か否か（すなわち、入札か競売か）を判断する。
【００５８】
ステップＳ３において、取り引き形態が入札であると判断された場合、ステップＳ４において、ＣＰＵ２１は、入札締切時刻になったか否かを判断する。ステップＳ４において、入札締切時刻ではないと判断された場合、入札締切時刻になったと判断されるまで、ステップＳ４の処理が繰り返される。
【００５９】
ステップＳ３において、取り引き形態が入札ではないと判断された場合、取り引き形態は競売であるので、ステップＳ５において、ＣＰＵ２１は、最後に放送局Ａ乃至Ｄのパーソナルコンピュータ１２乃至１５のいずれかから、取り引きの条件が入力されてから所定の時間が経過したか否かを判断する。ステップＳ５において、所定の時間が経過していないと判断された場合、所定の時間が経過したと判断されるまで、ステップＳ５の処理が繰り返される。
【００６０】
ステップＳ４において、入札締切り時刻になったと判断された場合、もしくは、ステップＳ５において、所定の時間が経過したと判断された場合、ステップＳ６において、ＣＰＵ２１は、ステップＳ２の処理においてＨＤＤ２８に保存された、放送局Ａ乃至Ｄが提示した取り引きの希望条件を、入出力インターフェース２５および内部バス２４を介して読み出し、それらを集計する。
【００６１】
ステップＳ７において、ＣＰＵ２１は、ステップＳ１の処理において入力されたスポンサーの条件を基に、この取り引きが、自動取り引きか否かを判断する。ここで、自動取り引きとは、例えば、放送金額をキーとして、最もよい条件を提示した放送局と、自動的に取り引きを行うような設定のことである。
【００６２】
ステップＳ７において、自動取り引きであると判断された場合、ステップＳ１３において、ＣＰＵ２１は、ステップＳ５において集計された集計結果を基に、最もよい条件（例えば、放送金額をキーとした場合、最も安い希望金額）を提示した放送局を選択し、その放送局の放送条件を、内部バス２３、入出力インターフェース２５、ネットワークインターフェース３０、ハブ４、および広域ネットワークを介して、スポンサーＡのパーソナルコンピュータ１に送信する。
【００６３】
ステップＳ７において、この取り引きが自動取り引きではないと判断された場合、ステップＳ８において、ＣＰＵ２１は、ステップＳ５において集計された放送局Ａ乃至Ｄが提示した放送希望条件を基に、例えば、ＣＭ放送希望放送局の条件一覧（入札結果）を示し、取り引き成立の場合、対応する番号を入力するためのテキストボックス１１１、入力された番号を、仲介業者のパーソナルコンピュータ９に送信するためのボタン１１２、および、取引条件を再設定する場合に選択するボタン１１３を有する、図９に示すウェブコンテンツに対応するデータを生成し、内部バス２４、入出力インターフェース２５、ネットワークインターフェース３０、およびハブ４を介して、コンピュータサーバ１０に供給する。コンピュータサーバ１０のシステム管理ソフトウェア４２は、ネットワークインターフェース４１を介して入力されたウェブコンテンツに対応するデータを、ウェブコンテンツフォルダ４６に保存するとともに、ネットワークインターフェース４１、ハブ４、および広域ネットワーク２０を介して、スポンサーＡのパーソナルコンピュータ１に供給する。
【００６４】
ステップＳ９において、ＣＰＵ２１は、図９の入札結果を確認したスポンサーＡのパーソナルコンピュータ１から、ＣＭを放送させる放送局の決定を示す信号の入力を受けたか（すなわち、図９におけるボックス１１１に、１乃至４のいずれかの番号が入力され、ボタン１１２が選択されたことを示す信号の入力を受けたか）否かを判断する。
【００６５】
ステップＳ９において、スポンサーＡから、放送局の決定を示す入力を受けたと判断された場合、もしくは、ステップＳ１３の処理が終了した場合、ステップＳ１０において、ＣＰＵ２１は、ＣＭ放送権を獲得した放送局（ここでは放送局Ａが放送権を獲得したとする）のパーソナルコンピュータ１２に、内部バス２４、入出力インターフェース２５、ネットワークインターフェース３０、ハブ４、広域ネットワーク２０およびハブ５を介して、ＣＭ放送権獲得を通知するとともに、内部バス２４、入出力インターフェース２５、ネットワークインターフェース３０、ハブ４およびネットワークインターフェース４１を介して、コンピュータサーバ１０のＡＶサーバコントローラ４４に、ＡＶサーバ１１のディスクアレイ５６のハードディスク６５乃至６９から、スポンサーＡが放送を依頼しているＣＭ素材を検索させ、出力させるための制御信号を出力する。
【００６６】
ＡＶサーバコントローラ４４は、ネットワークインターフェース４１、ハブ４、ネットワークインターフェース５７および内部バス５５を介して、ＡＶサーバ１１のＣＰＵ５４に、対応するＣＭ素材の検索と出力を指令する制御信号を出力する。ＣＰＵ５４は、ディスクアレイ５６のハードディスク６５乃至６９から対応するＣＭ素材を検索し、内部バス５５、ネットワークインターフェース５７、ハブ４、広域ネットワーク２０、およびハブ５を介して、放送局ＡのＡＶサーバ１６にＣＭ素材を送信する。
【００６７】
ステップＳ１１において、所定のタイミングで、ＣＰＵ２１は、ＣＭ放送権を獲得した放送局Ａのパーソナルコンピュータ１２から、広域ネットワーク２０、ハブ４、ネットワークインターフェース３０、入出力インターフェース２５、および内部バス２４を介して、ＣＭの放送が行われたことを示す通知（後述する、図１１のステップＳ４５において送信される信号）の入力を受ける。
【００６８】
ステップＳ１２において、ＣＰＵ２１は、ステップＳ２において、放送局Ａから入力された放送料金の条件を示す情報を、ハブ４を介してコンピュータサーバ１０に出力する。コンピュータサーバのシステム管理ソフトウェア４２は、ネットワークインターフェース４１を介して、放送料金の条件を示す情報の入力を受け、課金ソフトウェア４３を起動させ、ＣＭの放送料金を算出させ、スポンサーＡのパーソナルコンピュータ１に、ネットワークインターフェース４１、ハブ４および広域ネットワーク２０を介して、ＣＭ放送料金を請求する信号を送信し、処理を終了する。ここで、ＣＭ放送料金の算出および請求は、例えば、１週間毎、１ヶ月毎等の所定の期間におけるＣＭ放送料金が算出され、請求されるようにしてもよい。
【００６９】
ステップＳ９において、スポンサーから放送局の決定の入力を受けなかったと判断された場合（すなわち、図９のボタン１１３が選択されたと判断された場合）、ステップＳ１４において、ＣＰＵ２１は、スポンサーＡのパーソナルコンピュータ１から、広域ネットワーク２０、ハブ４、ネットワークインターフェース３０、入出力インターフェース２５、および内部バス２４を介して、放送希望条件の再設定を示す信号が入力されたか否かを判断する。
【００７０】
ステップＳ１４において、放送希望条件の再設定を示す信号が入力されたと判断された場合、処理は、ステップＳ２に戻り、それ以降の処理が繰り返される。ステップＳ１４において、放送希望条件の再設定を示す信号が入力されなかったと判断された場合、処理は終了される。
【００７１】
次に、図１０のフローチャートを参照して、図６を用いて説明した処理と並行して実行される、スポンサーのＣＭ登録処理について説明する。ここでは、スポンサーＡがＣＭの放送希望を登録するものとして説明する。
【００７２】
スポンサーＡは、図示しないＶＣＲなどにより作成された、放送用のＣＭ素材を用意する。ステップＳ２１において、スポンサーＡのパーソナルコンピュータ１のＣＰＵ２１（図２は、パーソナルコンピュータ９としてだけではなく、それ以外のパーソナルコンピュータの構成を示すものとして参照される）は、ネットワークインターフェース３０を介して入力された、図示しないＶＣＲなどにより作成されたＣＭ素材を、ＨＤＤ２８に保存する。
【００７３】
ステップＳ２２において、ＣＰＵ２１は、入力部２６を用いてユーザが入力する指令に従って、広域ネットワーク２０およびハブ４を介して仲介業者のコンピュータサーバ１０にアクセスし、ステップＳ２１において、ＨＤＤ２８に保存されたＣＭ素材を登録する。更に、ユーザは、広域ネットワーク２０に公開されている、図７を用いて説明したＣＭ放送送出依頼のページを参照しながら、金額等の放送条件を入力した後、ボタン９９を選択する。そして、ＣＰＵ２１は、入力部２６を用いてユーザが入力する指令に従って、広域ネットワーク２０およびハブ４を介して仲介業者のコンピュータサーバ１０にアクセスし、入力された放送条件に対応する信号をコンピュータサーバ１０に送信する。
【００７４】
ステップＳ２３において、ＣＰＵ２１は、ステップＳ２２において入力された放送条件から、自動取り引きを設定したか、すなわち、最もよい条件を提示した放送局と、自動的に取り引きを行うように設定したか否かを判断する。
【００７５】
ステップＳ２３において、自動取り引きが設定されたと判断された場合、ステップＳ２６において、ネットワークインターフェース３０は、図６のステップＳ１３において、仲介業者のパーソナルコンピュータ９が、ハブ４および広域ネットワーク２０を介して送信した、最もよい条件を提示した放送局と、その放送料金等の条件の一覧を示す信号を受信し、ＣＰＵ２１は、その信号を出力部２７に供給させ、表示させる。ユーザは、出力部２７に表示される、最もよい条件を提示した放送局と、その放送料金等の条件を確認し、処理はステップＳ２７に進む。
【００７６】
ステップＳ２３において、自動取り引きが設定されていないと判断された場合、ステップＳ２４において、ネットワークインターフェース３０は、図６のステップＳ８において、仲介業者のパーソナルコンピュータ９が、ハブ４および広域ネットワーク２０を介して送信した、図９に示されるＣＭ放送を希望している放送局の条件の一覧を示す信号を受信し、ＣＰＵ２１は、その信号を出力部２７に供給させ、表示させる。ユーザは、出力部２７に表示される、図９のＣＭ放送を希望している放送局の条件の一覧を確認する。
【００７７】
ステップＳ２５において、ＣＰＵ２１は、ユーザが入力部２６を用いて入力した内容を表す信号の入力を受け、それを基に、ユーザの条件を満たす放送局があるか否か、すなわち、図９のリストボックス１１１に、番号が記入され、ボタン１１２が選択されたか否かを判断する。
【００７８】
ステップＳ２５において、条件を満たす放送局はなかったと判断された場合、ステップＳ２９において、ＣＰＵ２１は、内部バス２４、入出力インターフェース２５、ネットワークインターフェース３０、広域ネットワーク２０およびハブ４を介して仲介業者のコンピュータサーバ１０にアクセスし、再度、図７を用いて説明したＣＭ放送送出依頼入力フォームを読み込んで、出力部２７に表示させる。そして、ＣＰＵ２１は、ユーザが入力部２６を用いて入力する放送条件に対応する信号を、入出力インターフェース２５および内部バス２４を介して入力され、放送条件に対応する信号を、内部バス２４、入出力インターフェース２５、ネットワークインターフェース３０、広域ネットワーク２０およびハブ４を介して仲介業者のコンピュータサーバ１０に送信し、処理を終了する。
【００７９】
ステップＳ２５において、条件を満たす放送局があったと判断された場合、もしくは、ステップＳ２６の処理が終了した場合、仲介業者のＡＶサーバ１１のＣＰＵ５４は、その放送局（ここでは、放送局Ａとする）にＣＭ素材を送信し（図６のステップＳ１０）、放送局Ａは、ＣＭを放送するので（後述する、図１１のステップＳ４４）、ステップＳ２７において、ＣＰＵ２１は、放送局Ａのパーソナルコンピュータ１２から、ハブ５、広域ネットワーク２０、ネットワークインターフェース３０、入出力インターフェース２５、および内部バス２４を介して、ＣＭ放送の通知（後述する、図１１のステップＳ４５において送信される信号）の入力を受ける。
【００８０】
ステップＳ２８において、ＣＰＵ２１は、仲介業者のパーソナルコンピュータ９から、ハブ４、広域ネットワーク２０、ネットワークインターフェース３０、入出力インターフェース２５、および内部バス２４を介して、ＣＭ放送料金の請求を受け（図６のステップＳ１２で送信されている）、処理が終了される。
【００８１】
次に、図１１のフローチャートを参照して、図６および図１０を用いて説明した処理と並行して行われる、放送局のＣＭ登録処理について説明する。ここでは、放送局Ａが、スポンサーＡが提示しているＣＭに対して、ＣＭの放送希望を登録する場合について説明する。
【００８２】
ステップＳ４１において、放送局Ａのパーソナルコンピュータ１２のＣＰＵ２１は、入力部２６を用いてユーザが入力する指令に従って、ハブ５、広域ネットワーク２０およびハブ４を介して仲介業者のコンピュータサーバ１０にアクセスし、図８を用いて説明したＣＭ送出取り引きページを読み出し、出力部２７に表示させる。パーソナルコンピュータ１２を使用しているユーザは、図８のＣＭ送出取り引きページを参照し、スポンサーＡの提示している条件を確認する。
【００８３】
ステップＳ４２において、ユーザは、図８のＣＭ送出取り引きページを参照しながら、入力部２６を用いて、テキストボックス１０１乃至１０３に、金額等の放送条件を入力する。ＣＰＵ２１は、入出力インターフェース２５および内部バスを２４介して、ユーザがテキストボックス１０１乃至１０３に入力した放送条件に対応する信号の入力を受ける。ＣＰＵ２１は、ユーザが入力部２６を用いてボタン１０４を選択したことを示す信号の入力を受け、テキストボックス１０１乃至１０３に入力された放送条件に対応する信号を、ハブ５、広域ネットワーク２０、ハブ４を介して仲介業者のコンピュータサーバ１０に送信する。
【００８４】
ステップＳ４３において、ＣＰＵ２１は、ハブ４、広域ネットワーク２０、ハブ５、ネットワークインターフェース３０、入出力インターフェース２５、および内部バス２４を介して入力される信号を基に、図６のステップＳ１０において、仲介業者のコンピュータ９が送信するＣＭ放送権の獲得通知およびＣＭ素材を受信したか否かを判断する。ステップＳ４３において、これらの信号を受信してないと判断された場合、処理が終了される。
【００８５】
ステップＳ４３において、ＣＭ放送権の獲得通知およびＣＭ素材を受信したと判断された場合、ステップＳ４４において、ＣＰＵ２１は、受信したＣＭ素材を、ハブ５を介してＡＶサーバ１６に出力し、保存させる。そして、ＣＰＵ２１は、所定の条件でＣＭを放送させるための制御信号を生成し、図５を用いて説明したパーソナルコンピュータ８１に、ローカルネットワーク８６を介して送信する。パーソナルコンピュータ８１は、受信した制御信号に従って、所定の条件でＣＭを放送するように、ＡＶサーバ１６、番組送出装置８２、およびスイッチャ８３を制御し、ＣＭが放送された後、ＣＭ放送の終了を通知する信号を、ローカルネットワーク８６を介してパーソナルコンピュータ１２に送信する。
【００８６】
ステップＳ４５において、パーソナルコンピュータ２１のＣＰＵ２１は、ＣＭ放送の通知を、仲介業者のパーソナルコンピュータ９およびスポンサーＡのパーソナルコンピュータ１に、ハブ５および広域ネットワーク２０を介して送信する。
【００８７】
ステップＳ４６において、放送局Ａは、ステップＳ４４において行われたＣＭ放送に対するＣＭ放送料金を受け取り、処理が終了される。
【００８８】
図６乃至図１１を用いて説明した処理においては、まず、スポンサーＡからＣＭの放送条件が提示され、仲介業者によって、その条件が放送局Ａ乃至Ｄに提示される。そして、提示された条件を確認した放送局Ａ乃至Ｄにより、ＣＭ放送の料金をはじめとする放送希望条件が提示され、それを基に、ＣＭを放送する放送局が決定されるようになされていた。これに対して、例えば、放送局側から、空きＣＭ枠の提示が行われ、それに対してスポンサーがＣＭの放送条件を提示することにより、ＣＭ放送の取り引きを行うようにしてもよい。その場合の仲介業者のＣＭ登録処理を、図１２のフローチャートを参照して説明する。
【００８９】
ステップＳ５１において、仲介業者のパーソナルコンピュータ９のＣＰＵ２１は、例えば、放送局Ａのパーソナルコンピュータ１２から、ハブ５、広域ネットワーク２０、ハブ４、ネットワークインターフェース３０、入出力インターフェース２５、および内部バス２４を介して、後述する図１４のステップＳ７１において送信される、空きＣＭ枠を表す信号の入力を受け、図１３に示すような、放送局ＡのＣＭ枠一覧表を表示するウェブコンテンツを生成し、内部バス２４、入出力インターフェース２５、ネットワークインターフェース３０、およびハブ４を介して、コンピュータサーバ１０に送信する。コンピュータサーバ１０のシステム管理ソフトウェア４２は、ネットワークインターフェース４１を介して入力されたウェブコンテンツを、ウェブコンテンツフォルダ４６に保存させる。
【００９０】
ステップＳ５２において、システム管理ソフトウェア４２は、ステップＳ５１において、ウェブコンテンツ４６に保存された図１３のウェブコンテンツを、ハブ４を介して広域ネットワーク２０上に公開する。スポンサーＡ乃至Ｃのパーソナルコンピュータ１乃至３は、後述する図１６のステップＳ８１において、広域ネットワーク２０上に公開されている図１３のウェブコンテンツを参照し、後述する図１６のステップＳ８２において、空きＣＭ枠に対してＣＭ放送を申し込む信号を送信するので、パーソナルコンピュータ９のＣＰＵ２１は、スポンサーＡ乃至Ｃのパーソナルコンピュータ１乃至３から送信され、広域ネットワーク２０およびハブ４を介してネットワークインターフェース３０が受信した、放送希望条件を示す信号を、ＨＤＤ２８に保存させる。
【００９１】
ステップＳ５３において、ＣＰＵ２１は、入札の締切時刻になったか否かを判断する。ステップＳ５３において、入札の締切時刻ではないと判断された場合、入札の締切時刻であると判断されるまで、ステップＳ５３の処理が繰り返される。
【００９２】
ステップＳ５３において、入札の締切時刻であると判断された場合、ステップＳ５４において、ＣＰＵ２１は、ステップＳ５２においてＨＤＤ２８に保存したスポンサーＡ乃至Ｃから入力される入札の各種条件を、入出力インターフェース２５および内部バス２４を介して読み出し、集計する。
【００９３】
ステップＳ５５において、ＣＰＵ２１は、ステップＳ５４において集計された入札結果を、内部バス２４、入出力インターフェース２５、ネットワークインターフェース３０、ハブ４、広域ネットワーク２０、およびハブ５を介して、放送局Ａのパーソナルコンピュータ１２に送信する。
【００９４】
ステップＳ５６において、ＣＰＵ２１は、放送局Ａのパーソナルコンピュータ１２から、ハブ５、広域ネットワーク２０、ハブ４、ネットワークインターフェース３０、入出力インターフェース２５、および内部バス２４を介して、スポンサーの決定を示す信号が入力されたか否かを判断する。
【００９５】
ステップＳ５６において、スポンサーの決定を示す信号が入力されたと判断された場合、ステップＳ５７において、ＣＰＵ２１は、決定されたスポンサー（ここでは、スポンサーＡとする）のパーソナルコンピュータ１に、内部バス２４、入出力インターフェース２５、ネットワークインターフェース３０、ハブ４、広域ネットワーク２０を介して、ＣＭ枠獲得を通知し、ＡＶサーバ１１に、ＣＭ素材を登録するように通知する。そして、ＡＶサーバ１１のネットワークインターフェース５７は、パーソナルコンピュータ１から、広域ネットワーク２０、ハブ４を介して送信されたＣＭ素材を受信する。ＡＶサーバ１１のＣＰＵ５４は、受信されたＣＭ素材を、内部バス５５を介してディスクアレイ５６に保存させる。
【００９６】
ステップＳ５８において、ＣＰＵ２１は、ステップＳ５６においてＡＶサーバ１１に登録されたＣＭ素材を、放送局ＡのＡＶサーバ１６に送信させるための制御信号を生成し、内部バス２４、入出力インターフェース２５、ネットワークインターフェース３０、およびハブ４を介して、コンピュータサーバ１０に送信する。コンピュータサーバ１０のＡＶサーバコントローラ４４は、ネットワークインターフェース４１を介して入力された制御信号を基に、ＡＶサーバ１１に登録されたＣＭ素材を、放送局ＡのＡＶサーバ１６に送信させるための制御信号を生成し、ＡＶサーバ１１に送信する。ＡＶサーバ１１のＣＰＵ５４は、ネットワークインターフェース５７、内部バス５５を介して入力された制御信号を基に、対応するＣＭ素材をディスクアレイ５６から検索して読み出し、内部バス５５、ネットワークインターフェース５７、ハブ４、広域ネットワーク２０、およびハブ５を介して、放送局ＡのＡＶサーバ１６に送信する。
【００９７】
そして、ステップＳ５９およびステップＳ６０において、図６のステップＳ１１およびステップＳ１２と同様の処理が実行され、処理が終了される。
【００９８】
ステップＳ５６において、スポンサーの決定の入力を受けなかったと判断された場合、ステップＳ６１において、ＣＰＵ２１は、ハブ５、広域ネットワーク２０、ハブ４、ネットワークインターフェース３０、入出力インターフェース２５、および内部バス２４を介して入力される信号を基に、放送局Ａのパーソナルコンピュータ１２から、条件の再設定を示す信号が入力されたか否かを判断する。
【００９９】
ステップＳ６１において、条件の再設定を示す信号が入力されたと判断された場合、処理はステップＳ５２に戻り、それ以降の処理が繰り返される。ステップＳ６１において、条件の再設定を示す信号が入力されなかったと判断された場合、処理が終了される。
【０１００】
なお、図１２を用いて説明した処理においては、取り引き形態を入札として説明したが、取り引き形態が落札でもよいことは勿論である。
【０１０１】
次に、図１４のフローチャートを参照して、図１２を用いて説明した処理と並行して実行される、放送局のＣＭ登録処理について説明する。ここでは、放送局Ａが、空きＣＭ枠を仲介業者に登録する場合について説明する。
【０１０２】
ステップＳ７１において、放送局Ａのパーソナルコンピュータ１２のＣＰＵ２１は、ハブ５、広域ネットワーク２０、ハブ４を介して、仲介業者のコンピュータサーバ１０にアクセスし、空きＣＭ枠を登録する。
【０１０３】
ステップＳ７２において、ネットワークインターフェース３０は、図１２のステップＳ５５において、仲介業者のパーソナルコンピュータ９から送信された入札結果に対応する信号を受信する。ＣＰＵ２１は、受信された信号を出力部２７に供給して表示させる。このとき、出力部２７に表示される入札結果の例を図１５に示す。ユーザは、図１５の入札結果を確認して、取り引きを成立させるか否かを決定することができる。ユーザは、取り引きを成立させる場合、ボタン１２１を選択し、登録したＣＭ放送希望条件等を再度確認したい場合、ボタン１２２を選択する。
【０１０４】
ステップＳ７３において、ＣＰＵ２１は、入力部２６、入出力インターフェース２５、および内部バス２４を介して入力される信号に基づいて、ユーザが、取り引きを成立させるか否か、すなわち、図１５のボタン１２１を選択したか否かを判断する。
【０１０５】
ステップＳ７３において、取り引きが成立されると判断された場合、ステップＳ７４において、ＣＰＵ２１は、図１２のステップＳ５８において、仲介業者のＡＶサーバ１１が送信したＣＭ素材を、ハブ４、広域ネットワーク２０、ハブ５を介して受信する。そして、図１１のステップＳ４４と同様の処理により、ＣＭが放送される。
【０１０６】
そして、ステップＳ７５およびステップＳ７６において、図１１のステップＳ４５およびステップＳ４６と同様の処理が行われ、処理が終了される。
【０１０７】
ステップＳ７３において、取り引きが成立されないと判断された場合、ステップＳ７７において、ＣＰＵ２１は、再度、ユーザが入力部２６を用いて入力する希望放送条件に対応する信号を、内部バス２４、入出力インターフェース２５、ネットワークインターフェース３０、広域ネットワーク２０およびハブ４を介して、仲介業者のコンピュータサーバ１０に送信し、処理を終了する。
【０１０８】
次に、図１６のフローチャートを参照して、図１２および図１４を用いて説明した処理と並行して実行される、スポンサーのＣＭ登録処理について説明する。ここでは、スポンサーＡが、放送局Ａが提示している空きＣＭ枠に対して、ＣＭ登録を行う場合について説明する。
【０１０９】
ステップＳ８１において、スポンサーＡのパーソナルコンピュータ１のＣＰＵ２１は、内部バス２４、入出力インターフェース２５、ネットワークインターフェース３０、広域ネットワーク２０、およびハブ４を介して、仲介業者のコンピュータサーバ１０にアクセスし、図１３を用いて説明した、放送局Ａが提示しているＣＭ枠一覧に対応するウェブコンテンツを読み込んで、出力部２７に表示させる。
【０１１０】
ここで、図１３に示すような、放送局ＡのＣＭ枠の一覧表表すウェブコンテンツではなく、例えば、図１７に示されるＣＭ枠検索ページを、スポンサーに提示するようにしてもよい。
【０１１１】
図１７の例では、パーソナルコンピュータ１のユーザは、条件入力用テキストボックス群１３１に条件を入力し、検索開始ボタン１３２を選択する。ＣＰＵ２１は、条件入力用テキストボックス群１３１に入力された条件を示す信号を、広域ネットワーク２０、ハブ４を介して、仲介業者のコンピュータサーバ１０に送信する。システム管理ソフトウェア４２は、ネットワークインターフェース４１を介して入力された条件を示す信号を基に、これらの条件に合致したＣＭ枠を、データベース４５から検索し、その検索結果を基に、例えば、図１８に示す検索結果を表示するウェブコンテンツを作成し、ハブ４、広域ネットワーク２０を介してパーソナルコンピュータ１に送信する。
【０１１２】
パーソナルコンピュータ１のネットワークインターフェース３０は、図１８に示す検索結果を表すウェブコンテンツを受信し、ＣＰＵ２１は、その信号を出力部２７に供給し、表示させる。パーソナルコンピュータ１のユーザは、図１８の検索結果を表すウェブコンテンツを参照し、ＣＭ放送を希望したいと思われるＣＭ枠があった場合、リンクボタン１４１のうち、所望のＣＭ枠に対応するリンクボタンを選択する。ＣＰＵ２１は、入力部２６から、入出力インターフェース２５および内部バス２４を介して入力される信号を基に、ユーザの操作を示す信号の入力を受け、ユーザが選択したＣＭ枠を示す信号を、内部バス２４、入出力インターフェース２５、ネットワークインターフェース３０、広域ネットワーク２０、およびハブ４を介して仲介業者のコンピュータサーバ１０に送信する。
【０１１３】
コンピュータサーバ１０のシステム管理ソフトウェア４２は、ネットワークインターフェース４１を介して入力された、スポンサーＡのパーソナルコンピュータ１のユーザが選択したＣＭ枠を示す信号を基に、該当するＣＭ枠の条件を、データベース４５から検索し、例えば、図１９に示すような、希望最低価格、放送地域などの詳細なＣＭ枠の情報を含んだ、ＣＭ枠情報を表示するウェブコンテンツを生成し、ネットワークインターフェース４１、ハブ４、および広域ネットワーク２０を介してパーソナルコンピュータ１に送信する。
【０１１４】
ステップＳ８２において、ユーザは、入力部２６を用いて、ステップＳ８１において確認した空きＣＭ枠の中から、所望のＣＭ枠に対し、金額等の希望を入力する。ＣＰＵ２１は、入力部２６から入出力インターフェース２５および内部バス２４を介して入力された、ユーザが入力した希望条件に対応する信号を、内部バス２４、入出力インターフェース２５、ネットワークインターフェース３０、広域ネットワーク２０、およびハブ４を介して、仲介業者のパーソナルコンピュータ９に送信する。
【０１１５】
ステップＳ８３において、ＣＰＵ２１は、ネットワークインターフェース３０が受信し、入出力インターフェース２５および内部バス２４を介して入力される信号を基に、図１２のステップＳ５７において、仲介業者のパーソナルコンピュータ９が送信したＣＭ枠の獲得の通知を受けたか否かを判断する。ステップＳ８３において、これらの信号を受信していないと判断された場合、処理が終了される。
【０１１６】
ステップＳ８３において、ＣＭ枠の獲得の通知を受けたと判断された場合、図１４のステップ７４の処理により、放送局ＡにおいてＣＭが放送されるので、ステップＳ８４およびステップＳ８５において、図１０のステップＳ２７およびステップＳ２８と同様の処理が実行され、処理が終了される。
【０１１７】
以上説明した処理においては、スポンサーＡ乃至Ｃもしくは放送局Ａ乃至Ｄが、予め仲介業者にＣＭ放送の希望条件を登録し、それを参照して、ＣＭ枠の競売もしくは入札が行われたが、例えば、仲介業者が、スポンサーＡ乃至Ｃから、ＣＭ素材およびＣＭ放送の希望条件の登録をそれぞれ受けておき、放送局Ａ乃至Ｄから、空きＣＭ枠およびＣＭ放送の希望条件の登録をそれぞれ受けておき、それらの中からそれぞれの条件に合致した組み合わせを検索し、取り引きを促進するようにしてもよい。図２０のフローチャートを参照して、そのような場合の仲介業者のＣＭ登録処理について説明する。
【０１１８】
ステップＳ９１において、仲介業者のコンピュータサーバ１０のシステム管理ソフトウェア４２は、放送局Ａ乃至Ｄから、広域ネットワーク２０およびハブ４を介して、空きＣＭ枠と、そのＣＭ枠においてＣＭを放送する場合の希望条件の入力を受け、それらをデータベース４５に登録する。
【０１１９】
ステップＳ９２において、コンピュータサーバ１０のシステム管理ソフトウェア４２は、図６のステップＳ１と同様の処理により、スポンサーＡ乃至ＣからＣＭ素材と、ＣＭ放送に関する希望条件の入力を受け、それらをデータベース４５に登録する。
【０１２０】
ステップＳ９３において、コンピュータサーバ１０のシステム管理ソフトウェア４２は、スポンサーＡ乃至Ｃと放送局のＡ乃至Ｄの、それぞれの条件が合致する組み合わせをデータベース４５から検索する。この検索においては、例えば、スポンサーＡ乃至Ｃ側の条件をキーとしても、放送局Ａ乃至Ｄ側の条件をキーとしてもよい。
【０１２１】
ステップＳ９４において、コンピュータサーバ１０のシステム管理ソフトウェア４２は、スポンサーと放送局の、それぞれの条件が合致する組み合わせが検索されたか否かを判断する。
【０１２２】
ステップＳ９４において、条件が合致する組み合わせが検索されなかったと判断された場合、ステップＳ９５において、コンピュータサーバ１０のシステム管理ソフトウェア４２は、条件が合致する組み合わせが検索されなかったことを示す信号を生成し、ネットワークインターフェース４１、ハブ４を介して、パーソナルコンピュータ９に送信する。パーソナルコンピュータ９のＣＰＵ２１は、ネットワークインターフェース３０、入出力インターフェース２５、および内部バス２４を介して入力された信号を基に、現在のＣＭ放送に関する希望条件では、条件に合致する取り引き相手がないため、ＣＭ放送希望条件の再設定を勧める信号を生成し、内部バス２４、入出力インターフェース２５、ネットワークインターフェース３０、および広域ネットワーク２０を介して、スポンサーＡ乃至Ｃのパーソナルコンピュータ１乃至３および放送局Ａ乃至Ｄのパーソナルコンピュータ１２乃至１５に送信し、処理は、ステップＳ９１に戻り、それ以降の処理が繰り返される。
【０１２３】
ステップＳ９４において、条件が合致する組み合わせが検索されたと判断された場合、ステップＳ９６において、コンピュータサーバ１０のシステム管理ソフトウェア４２は、条件が合致する組み合わせおよびそれぞれの条件を示す信号を生成し、ネットワークインターフェース４１、ハブ４を介して、パーソナルコンピュータ９に送信する。ここでは、スポンサーＡと、放送局Ａの条件が合致したものとして説明する。パーソナルコンピュータ９のＣＰＵ２１は、ネットワークインターフェース３０、入出力インターフェース２５、および内部バス２４を介して入力された信号を基に、スポンサーＡおよび放送局Ａに、それぞれの条件を提示するための信号を生成し、内部バス２４、入出力インターフェース２５、ネットワークインターフェース３０、および広域ネットワーク２０を介して、スポンサーＡのパーソナルコンピュータ１に、内部バス２４、入出力インターフェース２５、ネットワークインターフェース３０、広域ネットワーク２０およびハブ５を介して、放送局Ａのパーソナルコンピュータ１２に送信する。
【０１２４】
ステップＳ９７において、パーソナルコンピュータ９のＣＰＵ２１は、スポンサーＡのパーソナルコンピュータ１および放送局Ａのパーソナルコンピュータ１２から送信され、広域ネットワーク２０、ハブ４、ネットワークインターフェース３０、入出力インターフェース２５、および内部バス２４を介して入力された信号を基に、スポンサーＡおよび放送局Ａから、取り引き成立の通知が入力されたか否かを判断する。
【０１２５】
ステップＳ９７において、スポンサーＡおよび放送局Ａから、取り引き成立の通知が入力されたと判断された場合、ステップＳ９８において、パーソナルコンピュータ９のＣＰＵ２１は、ＡＶサーバ１１のディスクアレイ５６に登録されているスポンサーＡのＣＭ素材を、放送局Ａに送信させるための制御信号を生成して、コンピュータサーバ１０に、内部バス２４、入出力インターフェース２５、ネットワークインターフェース３０、およびハブ４を介して送信する。コンピュータサーバ１０のＡＶサーバコントローラ４４は、入出力インターフェース４１を介して入力された制御信号を基に、スポンサーＡのＣＭ素材を検索して、放送局Ａに送信させるための制御信号を生成し、ネットワークインターフェース４１およびハブ４を介して、ＡＶサーバ１１に出力する。ＡＶサーバ１１のＣＰＵ５４は、ネットワークインターフェース５７および内部バス５５を介して入力された制御信号に従って、ディスクアレイ５６に登録されているスポンサーＡのＣＭ素材を検索し、内部バス５５、入出力インターフェース５７、ハブ４、広域ネットワーク２０、およびハブ５を介して、放送局Ａのパーソナルコンピュータ１２に送信する。
【０１２６】
そして、ステップＳ９９およびステップＳ１００において、図６のステップＳ１１およびステップＳ１２と同様の処理が実行され、処理が終了される。
【０１２７】
ステップＳ９７において、取り引き成立の通知が、少なくともどちらか一方から入力されていないと判断された場合、ステップＳ１０１において、パーソナルコンピュータ９のＣＰＵ２１は、取り引きが成立されなかったことを示す信号を生成し、内部バス２４、入出力インターフェース２５、ネットワークインターフェース３０、および広域ネットワーク２０を介して、スポンサーＡに、内部バス２４、入出力インターフェース２５、ネットワークインターフェース３０、広域ネットワーク２０およびハブ５を介して、放送局Ａのパーソナルコンピュータ１および１２に送信し、処理を終了する。
【０１２８】
図２０を用いて説明した処理においては、仲介業者は、スポンサーＡ乃至Ｃと、放送局Ａ乃至Ｄとの取り引きの仲介を行ったが、例えば、仲介業者が、放送局から予めＣＭ放送枠を予め購入しておき、そのＣＭ放送枠を、スポンサーＡ乃至Ｃに対して販売するようにしてもよい。その場合、例えば、購入するＣＭ枠の条件を公開することにより、出資者を募り、その出資金を用いてＣＭ枠を購入し、そのＣＭ放送枠を、スポンサーＡ乃至Ｃに対して販売することにより得た利益を、出資者によって分配するようにしてもよい。
【０１２９】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１３０】
この記録媒体は、図２に示すように、コンピュータとは別に、ユーザにプログラムを提供するために配布される、プログラムが記録されている磁気ディスク３１（フロッピーディスクを含む）、光ディスク３２（CD-ＲＯＭ（Compact Disk-Read Only Memory），DVD（Digital Versatile Disk）を含む）、光磁気ディスク３３（ＭＤ(Mini-Disk)を含む）、もしくは半導体メモリ３４などよりなるパッケージメディアなどにより構成される。
【０１３１】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１３２】
なお、本明細書において、システムとは、複数の装置により構成される装置全体を表すものである。
【０１３３】
本発明の一側面の情報処理装置、情報処理方法、および記録媒体に記録されているプログラムによれば、スポンサーが有する第１の情報処理装置から送信された、スポンサーのコマーシャルの放送条件として、変動範囲が設定された第１の放送条件と、自動取引を行うか否かを特定可能な第２の放送条件とを含む情報であって、予め決められたフォームの第１の情報の受信を制御し、第１の情報の、複数の放送局が有する第２の情報処理装置のそれぞれへの送信を制御し、第１の情報を確認した複数の放送局のうち、第１の情報に含まれる第１の放送条件に設定された変動範囲内での放送希望条件を提示する応答をした放送局が有する第２の情報処理装置から送信された、放送局により提示された放送希望条件を含む情報であって、予め決められたフォームの第２の情報の受信を制御し、第１の情報に含まれる第２の放送条件に基づいて自動取引を行わないと判定した場合、第１の情報と、第２の情報とに基づいて、コマーシャルに関する取り引きを補助するための情報であって、予め決められたフォームの第３の情報を生成し、第３の情報の、スポンサーが有する第１の情報処理装置への送信を制御し、第１の情報に含まれる第２の放送条件に基づいて自動取引を行うと判定した場合、第１の情報に含まれる第１の放送条件をキーとして、第２の情報を送信した放送局の中で、最もよい放送希望条件を提示した放送局を選択し、選択した放送局の放送希望条件を含む情報であって、予め決められたフォームの第４の情報を生成し、第４の情報の、スポンサーが有する第１の情報処理装置への送信を制御するようにしたので、スポンサーと放送局のそれぞれのＣＭ放送希望条件を満たすようなＣＭ放送取り引きを促進させることができる。
【図面の簡単な説明】
【図１】本発明を適応したＣＭ取り引きシステムを説明するための図である。
【図２】図１のパーソナルコンピュータ９の構成を示すブロック図である。
【図３】図１のコンピュータサーバ１０の構成を示すブロック図である。
【図４】図１のＡＶサーバ１１の構成を示すブロック図である。
【図５】図１の放送局Ａのシステムを説明するための図である。
【図６】仲介業者のＣＭ登録処理を説明するためのフローチャートである。
【図７】ＣＭ放送送出依頼入力フォームを説明するための図である。
【図８】ＣＭ送出取り引きページを説明するための図である。
【図９】入札結果の表示画面を説明するための図である。
【図１０】スポンサーのＣＭ登録処理を説明するためのフローチャートである。
【図１１】放送局のＣＭ登録処理を説明するためのフローチャートである。
【図１２】仲介業者のＣＭ登録処理を説明するためのフローチャートである。
【図１３】ＣＭ枠一覧表示画面を説明するための図である。
【図１４】放送局のＣＭ登録処理を説明するためのフローチャートである。
【図１５】ＣＭ枠情報表示画面を説明するための図である。
【図１６】スポンサーのＣＭ登録処理を説明するためのフローチャートである。
【図１７】ＣＭ枠検索ページを説明するための図である。
【図１８】検索結果表示画面を説明するための図である。
【図１９】ＣＭ枠情報表示画面を説明するための図である。
【図２０】仲介業者のＣＭ登録処理を説明するためのフローチャートである。
【符号の説明】
１乃至３  パーソナルコンピュータ，  ９  パーソナルコンピュータ，  １０コンピュータサーバ，  １１  ＡＶサーバ，  １２乃至１５  パーソナルコンピュータ，  ２０  広域ネットワーク，  ２１  ＣＰＵ，  ３０，４１  ネットワークインターフェース，  ４２  システム管理ソフトウェア，  ４３  課金ソフトウェア，  ４４  ＡＶサーバコントローラ，  ４５  データベース，  ５４ＣＰＵ，  ５６  ディスクアレイ，  ５７  ネットワークインターフェース
【図１】
0004419252.tif 000002
【図２】
0004419252.tif 000003
【図３】
0004419252.tif 000004
【図４】
0004419252.tif 000005
【図５】
0004419252.tif 000006
【図６】
0004419252.tif 000007
【図７】
0004419252.tif 000008
【図８】
0004419252.tif 000009
【図９】
0004419252.tif 000010
【図１０】
0004419252.tif 000011
【図１１】
0004419252.tif 000012
【図１２】
0004419252.tif 000013
【図１３】
0004419252.tif 000014
【図１４】
0004419252.tif 000015
【図１５】
0004419252.tif 000016
【図１６】
0004419252.tif 000017
【図１７】
0004419252.tif 000018
【図１８】
0004419252.tif 000019
【図１９】
0004419252.tif 000020
【図２０】
0004419252.tif 000021